(57)【要約】【課題】複数種類の透過原稿に対して共通のホルダユニットで読取りを行なうことができ、使用者の使い勝手に優れた画像読取装置及びこれに用いるホルダユニットを提供することを目的とする。【解決手段】ホルダユニットに保持されている透過原稿を照明して読取る画像読取装置であって、上記ホルダユニットは、複数種類の透過原稿を保持する複数の保持部を有し、上記複数の保持部に対して、透過原稿を押さえる部材をそれぞれ異なる方向へ開閉する機構を有する。【選択図】図３
2010102091.tif 000002
【特許請求の範囲】
【請求項１】
ホルダユニットに保持されている透過原稿を照明して読取る画像読取装置であって、
上記ホルダユニットは、複数種類の透過原稿を保持する複数の保持部を有し、
上記複数の保持部に対して、透過原稿を押さえる部材をそれぞれ異なる方向へ開閉する機構を有することを特徴とする画像読取装置。
【請求項２】
請求項１において、
上記複数の保持部は、長尺状透過原稿を保持する第１保持部と、マウントに保持されている透過原稿を保持する第２保持部とを有することを特徴とする画像読取装置。
【請求項３】
請求項１または請求項２において、
上記ホルダユニットは、長尺状透過原稿を押さえるカバーホルダと、長尺状透過原稿を保持するサブホルダと、マウントに保持されている透過原稿を保持し、かつ透過原稿を原稿台の上の所定位置に設置するメインホルダとを有し、
上記サブホルダは、上記メインホルダに回転可能に支持され、
上記カバーホルダは、上記サブホルダに回転可能に支持されていることを特徴とする画像読取装置。
【請求項４】
請求項３において、
上記サブホルダは、上記カバーホルダと一体で開閉することを特徴とする画像読取装置。
【請求項５】
透過原稿を照明して読取る画像読取装置に用いられ、透過原稿を保持するホルダユニットであって、
上記ホルダユニットは、複数種類の透過原稿を保持する複数の保持部を有し、
上記複数の保持部に対して、透過原稿を押さえる部材をそれぞれ異なる方向へ開閉する機構を有することを特徴とするホルダユニット。
【発明の詳細な説明】
【技術分野】
【０００１】
本発明は、原稿台ガラス上の透過原稿を読取る画像読取装置に関する。
【背景技術】
【０００２】
原稿台ガラス上に置かれている透過原稿を読取る機能を有する画像読取装置（フラットベッド型スキャナ）において、原稿台ガラス上に写真フィルム等の透過原稿を保持する場合、使用する透過原稿の種類に応じて、専用のホルダを用いる（特許文献１参照）。
【０００３】
また、１コマずつ四角いマウントに保持されている透過原稿に関しては、原稿ガラス上に直接載置する。または、マウントの外形サイズとほぼ同じ穴が設けられている専用フィルムホルダに、マウントに保持されている透過原稿を嵌め込んで、画像を読取る。また、異なる透過原稿を、１枚のフィルムホルダで保持する場合、異なるフィルムホルダを組み合わせた装置が知られている（特許文献２、特許文献３参照）。
【特許文献１】特開２００３−３３７３８４号公報
【特許文献２】特開２００３−００５３０４号公報
【特許文献３】特開２０００−３５８１３２号公報
【発明の開示】
【発明が解決しようとする課題】
【０００４】
しかし、上記従来例には、次のような解決すべき課題がある。
【０００５】
読取る透過原稿に応じて、異なるフィルムホルダを用いる場合、各透過原稿専用のフィルムホルダを必要とし、使用者は、透過原稿の種類を変える度に、フィルムホルダを頻繁に交換する必要がある。また、フィルムホルダの非使用時に、それらの収納性が問題である。
【０００６】
また、マウントに保持された透過原稿に関しては、原稿ガラス上に直接載置する場合、透過原稿をそのまま原稿台に載せるので、透過原稿が原稿ガラス上で位置決めされない。したがって、異なる透過原稿を読取るためには、読取りたい画像の範囲指定は、透過原稿の種類に応じて変更する必要がある。
【０００７】
また、異なる透過原稿を１枚のフィルムホルダで保持する場合、全ての異なる透過原稿を保持する必要があるので、フィルムホルダのサイズが大きくなる。さらに、透過原稿用の光源が持つ有効範囲も限られているので、透過原稿の種類を変える度に、原稿台ガラス上でフィルムガイドを設置し直す必要がある。長尺状透過原稿は、カールや反りを持っていることが多く、この対策として異なる透過原稿を１枚のフィルムホルダで保持する場合でも、別部材を組み合わせ、透過原稿を押さえる必要があり、作業が煩雑である。
【０００８】
本発明は、たとえば長尺状透過原稿、マウントに保持された透過原稿等、複数種類の透過原稿に対して共通のホルダユニットで読取りを行なうことができ、使用者の使い勝手に優れた画像読取装置及びこれに用いるホルダユニットを提供することを目的とする。
【課題を解決するための手段】
【０００９】
本発明は、ホルダユニットに保持されている透過原稿を照明して読取る画像読取装置であって、上記ホルダユニットは、複数種類の透過原稿を保持する複数の保持部を有し、上記複数の保持部に対して、透過原稿を押さえる部材をそれぞれ異なる方向へ開閉する機構を有する画像読取装置である。
【００１０】
また、本発明は、透過原稿を照明して読取る画像読取装置に用いられ、透過原稿を保持するホルダユニットであって、上記ホルダユニットは、複数種類の透過原稿を保持する複数の保持部を有し、上記複数の保持部に対して、透過原稿を押さえる部材をそれぞれ異なる方向へ開閉する機構を有するホルダユニットである。
【発明の効果】
【００１１】
本発明によれば、たとえば長尺状透過原稿、マウントに保持された透過原稿等、複数種類の透過原稿に対して共有のホルダユニットで読取りを行なうことができ、使用者の使い勝手に優れた画像読取装置及びこれに用いるホルダユニットを提供することができる。
【発明を実施するための最良の形態】
【００１２】
発明を実施するための最良の形態は、次の実施例である。
【実施例１】
【００１３】
図５は、透過原稿を読取可能な画像読取装置Ｒ１を示す断面図である。
【００１４】
画像読取装置Ｒ１は、大きくは画像読取ユニット４１と、透過原稿照明装置４３とを有する。
【００１５】
画像読取ユニット４１は、反射原稿用光源４０と、ミラー４９と、レンズ５０と、ＣＣＤ等の撮像素子４５とを有する。装置本体４２は、画像読取ユニット４１を内部に備えている。
【００１６】
透過原稿照明装置４３は、装置本体４２に対してヒンジ機構等の回動自在に設けられている。また、透過原稿照明装置４３は、光拡散作用を有する半透明の下カバー４４と、透過原稿用光源４６と、透過原稿用光源４６を移動させるための駆動ユニット５１とを有する。
【００１７】
透過原稿を読取る場合、後述する専用のホルダユニットに入れた１種類または複数種類の透過原稿４７を原稿台ガラス４８上に載置する。そして、透過原稿用光源４６を点灯させて照明しながら、透過原稿用光源４６と画像読取ユニット４１とを、図５中、矢印Ｘ方向に同期させて移動走査させる。
【００１８】
透過原稿用光源４６からの照明光は、光拡散作用を有する半透明の下カバー４４と透過原稿４７とを介して、画像読取ユニット４１内の撮像素子４５に伝わる。撮像素子４５は、画像を電気的な画像信号に変換し、この画像信号は、ＡＤ変換器、画像処理用のＡＳＩＣやインタフェース回路等を有する信号処理部に送られる。信号処理部では、ＡＤ変換、シェーディング補正、マスキング等の必要な処理を施し、デジタル画像データとして、所定のインタフェースを介して、ＰＣ（パーソナルコンピュータ）等の外部機器へ送る。なお、この読取動作中は、画像読取ユニット４１に設けられている反射原稿用光源４０が消灯する。
【００１９】
図１は、画像読取装置Ｒ１に用いられるホルダユニットＦＵ１の概略を示す斜視図である。
【００２０】
ホルダユニットＦＵ１は、カバーホルダ１と、サブホルダ２と、メインホルダ３とを有する。カバーホルダ１とサブホルダ２とによって、現像済みのロールフィルム等の長尺状透過原稿２０を固定し保持する。また、メインホルダ３によって、リバーサルフィルムのスライド等のマウントに保持された透過原稿を保持する。すなわち、ホルダユニットＦＵ１は、複数種類の透過原稿を保持する。
【００２１】
カバーホルダ１は、サブホルダ２と、カバーホルダ１から突き出した凸部Ａ１（Ｂ−Ｂ断面参照）とによって、短手方向に位置決めされる。カバーホルダ１は、透過原稿（長尺状透過原稿）を載置する際に、サブホルダ２が具備する回転軸Ａ２（Ｂ−Ｂ断面参照）を中心に開閉する開閉機構を持つ。
【００２２】
また、カバーホルダ１から突き出した舌部凸部Ａ３（Ａ−Ａ断面参照）は、サブホルダ２のロック機構Ａ４（Ａ−Ａ断面参照）によって保持されることによって、不用意に開くことを回避する。
【００２３】
サブホルダ２は、サブホルダ２から突き出した凸部Ａ５（Ｃ−Ｃ断面参照）によって、長手方向に位置決めされる。また、サブホルダ２は、透過原稿（マウントに保持された透過原稿）を載置する際に、メインホルダ３が有する回転軸Ａ６（Ｃ−Ｃ断面参照）を中心に、カバーホルダ１とは異なる方向に開閉する開閉機構を持つ。
【００２４】
また、カバーホルダ１と同様に、不用意に開くことを回避するために、ロック部材４によってメインホルダ３を固定する。部材中央に、開口部Ａ９が設けられている。メインホルダ３は、ホルダユニットのベースとなる部材であり、メインホルダ３に、カバーホルダ１、サブホルダ２が組み合わされ、ユニットとして完成する。
【００２５】
また、長手方向の両端には、舌部Ａ７、Ａ８が設けられ、上記原稿台の上の所定位置に設置する位置決めの役目を担う。また、シェーディングデータを取得するためのシェーディング窓５が設けられ、各透過原稿に対応できる大きさの開口部を有する。
【００２６】
図２は、実施例１において、長尺状透過原稿２０を設置・使用する方法を説明する図である。
【００２７】
長尺状透過原稿２０を設置する際、サブホルダ２が有する回転軸Ａ２を中心に、カバーホルダ１を開くことによって、開口部Ａ９（図１参照）と凹面Ａ２１とが表れる。開口部Ａ９は、長手が長尺状透過原稿２０のｎ個の画像コマＡ１０に対応し、短手が画像コマＡ１０の短手と一致する。凹面Ａ２１は、開口部Ａ９の周囲に設けられ、画像コマＡ１０が開口部Ａ９と一致するように、長尺状透過原稿２０を位置決め載置できる第１保持部の役割を担う。つまり、凹面Ａ２１は、長尺状透過原稿を保持する第１保持部の例である。
【００２８】
長尺状透過原稿２０を、サブホルダ２の２箇所の透過原稿長手方向基準Ａ２２に合わせた状態で、凹面Ａ２１に載置する。そして、カバーホルダ１の舌部凸部Ａ３を、サブホルダ２のロック機構Ａ４に嵌め込むことによって、長尺状透過原稿２０を、カバーホルダ１とサブホルダ２との間に挾持し、長尺状透過原稿２０のカール等を押さえることができる。すなわち、カバーホルダ１は、サブホルダ２の第１保持部に保持された透過原稿を押さえる部材としての役割を持っている。
【００２９】
図３は、実施例１において、マウントに保持されている透過原稿３０を設置・使用する方法を説明する図である。
【００３０】
マウントに保持されている透過原稿３０を設置する際、ロック部材４を外し、サブホルダ２を、メインホルダ３が有する回転軸Ａ６によって、カバーホルダ１とは異なる方向に開閉する。このように、サブホルダ２を開閉することによって、メインホルダ３の位置決めリブＡ３１が表れる。
【００３１】
このときに、カバーホルダ１は、サブホルダ２のロック機構Ａ４によって固定されているので、サブホルダ２と一体で開閉する。メインホルダ３には、マウントに保持されている透過原稿の画像コマＡ３２の短手が開口部Ａ９と一致するように、位置決めリブＡ３１が設けられている。つまり、画像コマＡ３２を保持するマウントＡ３３の外形で、マウントに保持された透過原稿３０を位置決め載置できるように、位置決めリブＡ３１が設けられ、上記第２保持部の役割を担う。つまり、位置決めリブＡ３１は、マウントに保持されている透過原稿を保持する第２保持部の例である。すなわち、サブホルダ２は、メインホルダ３の第２保持部に保持された透過原稿を押さえる部材としての役割を持っている。
【００３２】
ホルダユニットＦＵ１は、図２に示す第１保持部である凹面Ａ２１で保持された長尺状透過原稿２０の画像コマＡ１０と、図３に示す第２保持部である位置決めリブＡ３１とによって、画像コマＡ３２の短手中心位置を、同一箇所に設置することができる。つまり、マウントに保持されている透過原稿３０の画像コマＡ３２の短手中心位置を、同一箇所に設置することができる。また、第１保持部に保持されている長尺状透過原稿２０の上記原稿台ガラスからの高さは、マウントに保持されている透過原稿３０と略同じ位置にすることができる。
【００３３】
つまり、ホルダユニットＦＵ１は、互いに異なる種類の透過原稿を保持する複数の保持部を有する。上記保持部は、互いに異なる透過原稿に応じて、異なる方向へ開閉する部材である。上記保持部は、長尺状透過原稿２０を保持する第１保持部と、マウントに保持されている透過原稿を保持する第２保持部とを有する。
【００３４】
ホルダユニットＦＵ１は、長尺状透過原稿２０を押さえるカバーホルダ１と、長尺状透過原稿２０を保持するサブホルダ２と、メインホルダ３とを有する。メインホルダ３は、マウントに保持されている透過原稿を保持し、かつ透過原稿を上記原稿台の上の所定位置に設置する。サブホルダ２は、メインホルダ３に回転可能に支持されている。また、カバーホルダ１は、サブホルダ２に回転可能に支持されている。さらに、サブホルダ２は、カバーホルダ１と一体で開閉するホルダである。
【実施例２】
【００３５】
図４は、本発明の実施例２であるホルダユニットＦＵ２を示す斜視図である。
【００３６】
上記実施例１は、図２、図３に示すように、カバーホルダ１の回転軸Ａ２とサブホルダ２の回転軸Ａ６とは直角である。これに対して、実施例２でのホルダユニットＦＵ２は、図４に示すように、カバーホルダ１ａの回転軸Ａ５１ａと、サブホルダ２ａの回転軸Ａ６ａとを平行に配置したことを特徴とする。
【００３７】
透過原稿をセットしたホルダユニットＦＵ２は、長手方向の両端の舌部Ａ７、Ａ８によって、上記原稿台の上の所定位置に設置する。
【００３８】
ホルダユニットＦＵ２は、図５に示す構成の画像読取装置において、反射原稿用光源４０やミラー４９、レンズ５０や撮像素子４５を内蔵する画像読取ユニット４１を、矢印Ｘ方向に走査または、透過原稿用光源４６と同期させて移動走査する。これによって、透過原稿用光源４６から光拡散作用を有する半透明状の下カバー４４を介して、透過原稿４７に光が照明され、その透過光は、原稿台ガラス４８を介して、画像読取ユニット４１に導かれ、画像が読取られる。
【００３９】
以上説明した各実施例によれば、共通のホルダユニットを用いることによって、長尺状透過原稿２０と、マウントに保持されている透過原稿３０はいずれも原稿台ガラス４８上の所定の位置に載置される。このために、画像読取ユニット４１から得られた画像を処理する画像読取ソフトは、読取範囲を特定しやすく、画像処理効率が向上する。
【００４０】
また、長尺状透過原稿２０、マウントに保持された透過原稿のいずれにおいても、専用のフィルムホルダを準備する必要がない。
【００４１】
また、透過原稿の種類に応じた異なる方向への開閉機構を持つので、使用者は、直感的に使用方法を理解することができる。
【００４２】
また、長尺状透過原稿２０の画像コマと、マウントに保持されている透過原稿の画像コマとを、同一箇所に設置することができるので、透過原稿用の光源が持つ有効範囲内に、各透過原稿を必ず設置することができる。
【図面の簡単な説明】
【００４３】
【図１】本発明の実施例１である画像読取装置Ｒ１を構成するホルダユニットＦＵ１の概略を示す斜視図である。
【図２】実施例１において、長尺状透過原稿２０を設置・使用する方法を説明する図である。
【図３】実施例１において、マウントに保持されている透過原稿３０を設置・使用する方法を説明する図である。
【図４】本発明の実施例２であるホルダユニットＦＵ２の斜視図である。
【図５】透過原稿を読取可能な画像読取装置Ｒ１を示す断面図である。
【符号の説明】
【００４４】
１…カバーホルダ、
２…サブホルダ、
３…メインホルダ、
４…ロック部材、
２０…長尺状透過原稿、
３０…マウントに保持された透過原稿。
【図１】
2010102091.tif 000003
【図２】
2010102091.tif 000004
【図３】
2010102091.tif 000005
【図４】
2010102091.tif 000006
【図５】
2010102091.tif 000007